【事件の表示】
　特願２０００−３９８７４７「毛髪セット剤組成物」拒絶査定不服審判事件〔平成１４年７月１０日出願公開、特開２００２−１９３７６６〕について、次のとおり審決する。
【結　論】
　本件審判の請求は、成り立たない。
【理　由】
第１　手続の経緯
　本願は、平成１２年１２月２７日の出願であって、平成２２年３月３１日付けで拒絶理由が通知され、同年６月２日に手続補正がなされるとともに同日付けで意見書が提出されたが、平成２３年５月２０日付けで拒絶査定がなされ、これに対し、平成２３年８月２９日に拒絶査定不服審判の請求がなされたものである。
　
第２　本願発明
　本願の請求項１〜１１に係る発明は、平成２２年６月２日付け手続補正書の特許請求の範囲の請求項１〜１１に記載された事項により特定されるとおりのものと認められ、その請求項１に係る発明（以下、「本願発明」という。）は次のとおりのものである。
　
「【請求項１】　組成物全量基準で、下記の一般式（１）で表される反応性シリコーン系ブロック共重合体（Ａ）０．０１〜３０重量％、皮膜形成性高分子（Ｂ）０．０１〜２０重量％、及び下記の一般式（２）で表されるポリオルガノシロキサン−ポリオキシアルキレン共重合体（Ｃ）または下記の一般式（３）で表されるシリコーン化合物（Ｄ）０．０１〜１０．０重量％を含有することを特徴とする毛髪セット剤組成物。
一般式（１）：
【化１】
［式中、Ｒ１は互いに独立して、メチル基、エチル基、プロピル基、ブチル基、オクチル基、ドデシル基、フェニル基又はフェネチル基から選ばれる脂肪族不飽和を含まない１価の炭化水素基、Ｘ１は
一般式：
　−Ｒ３−Ｚ１（Ｒ３は直接結合または炭素原子数１〜２０の２価炭化水素基、Ｚ１はアミノ基含有基またはアンモニウム基含有基を表す。）で表される反応性官能基を表し、Ｒ２は互いに独立して、Ｒ１またはＸ１のいずれかを表し、ｎは２〜４の整数であり、ａは少なくとも２の整数であり、ｃは少なくとも４の整数であり、ｄは少なくとも２の整数であり、ｂ×ｄは少なくとも１の数であり、Ｙは炭素−珪素によって隣接珪素原子にそして酸素原子によってポリオキシアルキレンブロックに結合し、−ＣＨ２ＣＨ２−、−ＣＨ２ＣＨ２ＣＨ２−、−ＣＨ２ＣＨ（ＣＨ３）ＣＨ２−又は−（ＣＨ２）４−から選ばれる２価の有機基を表し、各シロキサンブロックの平均分子量は２５０〜１，０００，０００であり、各ポリオキシアルキレンブロックの平均分子量は２００〜１０，０００であり、シロキサンブロックは共重合体の２５〜９５重量％を構成し、そしてブロック共重合体は２０，０００〜１，５００，０００の平均分子量を有する。］
一般式（２）：
【化２】
［式中、Ｒ４は、互いに独立して、水素、水酸基、置換もしくは無置換の１価の炭化水素基、アルコキシ基、または式−ＣｘＨ２ｘＯ（ＣｙＨ２ｙＯ）ｚＲ７で表される基であり、Ｒ５、Ｒ６は、互いに独立して、置換もしくは無置換の１価の炭化水素基、または式−ＣｘＨ２ｘＯ（ＣｙＨ２ｙＯ）ｚＲ７で表される基であり、ｘは、互いに独立して、２〜６の整数であり、ｙは２〜４の整数であり、ｚは少なくとも４の整数であり、Ｒ７は互いに独立して、水素、置換もしくは無置換の１価の炭化水素基であり、ｍは、０〜５００の整数であり、そしてｐは、０〜１００の整数である。但し、ｐが０であるとき、Ｒ４及びＲ６で表される全部の基のうち少なくとも１つが−ＣｘＨ２ｘＯ（ＣｙＨ２ｙＯ）ｚＲ７で表される基である。］
一般式（３）：
【化３】
［式中、Ｒ９は、互いに独立して、水素、置換もしくは無置換の１価の炭化水素基、Ｘ２は
一般式：
　−Ｒ１１−Ｚ２（Ｒ１１は直接結合または炭素原子数１〜２０の２価炭化水素基、Ｚ２は反応基含有基を表す）で表される反応性官能基を表し、Ｒ８は、互いに独立して、水素、水酸基、置換もしくは無置換の１価の炭化水素基、アルコキシ基、またはＸ２で表される基であり、Ｒ１０はＲ９またはＸ２のいずれかを表し、ｑは少なくとも１の整数であり、ｒは０または少なくとも１の整数であり、平均分子量は２５０〜１，０００，０００である。］」
　
第３　引用例の記載事項
１　原査定の拒絶の理由に引用され本出願日前である平成１２年２月１５日に頒布された「特開２０００−４４４３４号公報」（原査定の引用文献５。以下、「引用例１」という。）には、次の事項が記載されている。なお、以下、下線は当審で付与した。
　
（１ａ）「【請求項１】
（Ａ）下記一般式（Ｉ）
【化１】
（式中、Ｒ１は炭素原子数１〜２４のアルキル基を表し、１種または２種以上を用いることができる）；ａ、ｂ、ｃは、ａ：ｂ：ｃ＝３０〜５０：２０〜３０：２５〜４５（重量％比）の関係を満足する）
で表される構成単位を有するベタイン型両性高分子の１種または２種以上と、（Ｂ）下記一般式（ＩＩ）
【化２】
（式中、Ｒ２はメチル基、または一部のＲ２がメチル基で残りのＲ２がフェニル基を表し；Ｒ３はメチル基または水酸基を表し；ｋは３，０００〜２０，０００の整数を表す）
で表される高分子量シリコーン、および下記一般式（ＩＩＩ）
【化３】
｛式中、Ｒ４はメチル基、または一部のＲ４がメチル基で残りのＲ４がフェニル基を表し；Ｒ５はメチル基、水酸基、またはＲ６と同一の基を表し；Ｒ６はＲ７Ｚ〔ここでＲ７は炭素原子数３〜６の２価のアルキレン基を表し；Ｚは−Ｎ（Ｒ８）２、−Ｎ＋（Ｒ８）３Ａ−、−ＮＲ８（ＣＨ２）ｄＮ（Ｒ８）２、−ＮＲ８（ＣＨ２）ｄＮ＋（Ｒ８）３Ａ−、および−ＮＲ８（ＣＨ２）ｄＮ（Ｒ８）Ｃ＝Ｏ（Ｒ９）（ここでＲ８は水素原子または炭素原子数１〜４のアルキル基を表し；Ｒ９は炭素原子数１〜４のアルキル基を表し；Ａはハロゲン原子を表し；ｄは２〜６の整数である）からなる群から選ばれる１価の基を表す〕で表されるアミノ基またはアンモニウム基を有する置換基を表し；ｍおよびｎはそれぞれ正の整数で、ｍ＋ｎは３，０００〜２０，０００であり、ｎ／ｍは１／５００〜１／１０，０００である｝
で表されるアミノ変性またはアンモニウム変性高分子量シリコーンの中から選ばれる１種または２種以上、とを含有することを特徴とする毛髪化粧料
【請求項２】
（Ａ）成分の配合量が毛髪化粧料全量中、乾燥固形分として０．０５〜１０．０重量％である
【請求項３】
（Ｂ）成分の配合量が毛髪化粧料全量中、０．１〜５０．０重量％である
　
（１ｂ）「【０００１】
【発明の属する技術分野】本発明は毛髪化粧料に関する。さらに詳しくは、
塗布後、乾燥仕上げまでの過程でべたつかず、くせづけしやすく、また仕上がった髪がなめらかでゴワゴワしないなど良好な感触を有し、セット保持力、さらには枝毛の修復・毛髪への接着効果に優れた毛髪化粧料に関する
【０００２】
【従来の技術】一般に
毛髪は、洗髪、ブラッシング、ドライヤーによる熱、ヘアカラー、ブリーチ剤等による美容処理を頻繁に繰り返し行うと著しく損傷劣化し、その結果、乾燥してぱさついたり、枝毛、切れ毛、抜け毛等の増加および強度低下を引き起こす
　・・・
【０００４】また、
毛髪に光沢となめらかさを付与しながら毛髪の損傷を防止する目的で
高分子量のジメチルポリシロキサン、高分子量のメチルフェニルポリシロキサン、あるいはアミノ変性またはアンモニウム変性高分子量シリコーン等を用いる技術が知られている
【０００５】
【発明が解決しようとする課題】しかしながら、毛髪化粧料の基剤として天然抽出原料を用いた場合、毛髪損傷防止効果が十分でなく、使用後のなめらかさなどの感触の点においても十分に満足できるものでない。また、
高分子量のシリコーン類を用いた場合、毛髪損傷防止効果、使用後の毛髪への光沢およびなめらかさの付与にはある程度の効果を有するが、ブラッシングやドライヤー処理によるその効果の持続性の点、および整髪効果の点では十分に満足できるものではなかった
【０００６】一方、毛髪セットの目的で、高分子化合物、ポリビニルピロリドン系ポリマー、酸性ポリビニルエーテル系ポリマー、酸性アクリル系ポリマー、カチオン性ポリマー等が用いられている。
これらは毛髪の固定すなわちセット力に優れるものの、光沢、なめらかさの点において十分に満足できる効果を得るのが難しい
【０００７】本発明者らは、このような
従来技術の不具合を解決すべく、両性高分子とアミノ変性またはアンモニウム変性高分子量シリコーンを併用した毛髪化粧料を従前に開発した
使用中のべたつきの低減化、さらには枝毛の修復・毛髪への接着効果の点においてより一層の効果が得られる
【０００８】すなわち本発明は、
使用の際、べたつかず、毛髪に優れた光沢を与え、なめらかな感触を付与し、頭髪の脂じみがなく、かつ適度なセット力を有し、さらには枝毛の修復効果に優れた毛髪化粧料を提供する
　
（１ｃ）「【００２７】上記一般式（Ｉ）中、Ｒ１は、
べたつかず、なめらかな被膜形成、セット保持力などのより一層の効果を奏するという点から
　・・・
【００３０】（Ａ）成分は１種または２種以上を用いることができ、その配合量は、本発明毛髪化粧料全量中、
乾燥固形分として０．０５〜１０．０重量％が好ましく、特には０．２〜５．０重量％である
　
（１ｄ）「【００３４】（Ｂ）成分は、下記一般式（ＩＩ）
　・・・、および下記一般式（ＩＩＩ）
【００３７】
【化１３】
【００３８】｛式中、Ｒ４はメチル基、または一部のＲ４がメチル基で残りのＲ４がフェニル基を表し；Ｒ５はメチル基、水酸基、またはＲ６と同一の基を表し；Ｒ６はＲ７Ｚ〔ここでＲ７は炭素原子数３〜６の２価のアルキレン基を表し；Ｚは−Ｎ（Ｒ８）２、−Ｎ＋（Ｒ８）３Ａ−、−ＮＲ８（ＣＨ２）ｄＮ（Ｒ８）２、−ＮＲ８（ＣＨ２）ｄＮ＋（Ｒ８）３Ａ−、および−ＮＲ８（ＣＨ２）ｄＮ（Ｒ８）Ｃ＝Ｏ（Ｒ９）（ここでＲ８は水素原子または炭素原子数１〜４のアルキル基を表し；Ｒ９は炭素原子数１〜４のアルキル基を表し；Ａはハロゲン原子を表し；ｄは２〜６の整数である）からなる群から選ばれる１価の基を表す〕で表されるアミノ基またはアンモニウム基を有する置換基を表し；ｍおよびｎはそれぞれ正の整数で、ｍ＋ｎは３，０００〜２０，０００であり、ｎ／ｍは１／５００〜１／１０，０００である｝で表されるアミノ変性またはアンモニウム変性高分子量シリコーンの中から選ばれる１種または２種以上である。
　・・・
【００４１】他方、上記一般式（ＩＩＩ）で表されるアミノ変性またはアンモニウム変性高分子量シリコーンでは、式中、Ｒ４がメチル基、Ｒ５がメチル基、水酸基、Ｒ６が−（ＣＨ２）３ＮＨ２、−（ＣＨ２）３Ｎ（ＣＨ３）２、−（ＣＨ２）３Ｎ＋（ＣＨ３）３Ｃｌ−であるもの等が好適に用いられる。
【００４２】また、一般式（ＩＩＩ）中、ｍ＋ｎは３，０００〜２０，０００であるが、好ましくは４，０００〜２０，０００である。ｍ＋ｎが３，０００未満では油状になり、毛髪保護効果が不十分となり、一方、２０，０００を超えるとシリコーン油等の他の原料に溶解しにくくなり、本系に配合することが難しい。またｎ／ｍは１／５００〜１／１０，０００であるが、好ましくは１／５００〜１／２，０００である。ｎ／ｍが１／５００を超えると高分子量シリコーン中のアミノ基またはアンモニウム基の含有率が高くなり、製造時に架橋反応等が起きたり、あるいは原料臭の点からも好ましくなく、一方、１／１０，０００未満では、毛髪に対する相互作用が不十分となり、毛髪保護効果の持続性が悪くなる。
【００４３】該アミノ変性またはアンモニウム変性高分子量シリコーンは常法により製造することができる。すなわち、例えばγ−アミノプロピルメチルジエトキシシランと環状ジメチルポリシロキサンとヘキサメチルジシロキサンとをアルカリ触媒下で重縮合反応させることによって製造することができるが、これに限定されるものでないことはもちろんである。
これら変性された高分子量シリコーンは軟質ゴム状であり、多量に用いたり長い間連用しても毛髪、頭皮のべたつきがなく、毛髪に優れた光沢や滑らかな感触を付与し、毛髪の保護効果を高めることができる
　
（１ｅ）「【００４４】（Ｂ）成分として、一般式（ＩＩ）で表される高分子量シリコーン（以下、単に「高分子量シリコーン」と記す）と、一般式（ＩＩＩ）で表されるアミノ変性またはアンモニウム変性高分子量シリコーン（以下、単に「アミノ変性またはアンモニウム変性高分子量シリコーン」と記す）の中から１種または２種以上が用いられるが、
好ましくは高分子量シリコーンとアミノ変性またはアンモニウム変性高分子量シリコーンとの併用がよい
　
（１ｆ）「【００５５】
（Ｂ）成分の配合量は、本発明毛髪化粧料全量中、０．１〜５０．０重量％が好ましく、より好ましくは１．０〜３０．０重量％である
　
（１ｇ）「【００６８】
　実施例３（ヘアクリーム）
　　　（配合成分）　　　　　　　　　　　　　　　　　　　（重量％）
（１）デカメチルシクロヘキサシロキサン　　　　　　　　　２５．０
（２）アミノ変性高分子量シリコーン　　　　　　　　　　　　６．０
　　（一般式（ＩＩＩ）中、Ｒ４はメチル基；Ｒ５は水酸基；Ｒ６は
　　　−（ＣＨ２）３Ｎ（ＣＨ３）２；ｍ＝３，０００、ｎ＝６）
（３）グリセリン　　　　　　　　　　　　　　　　　　　　　３．０
（４）ポリオキシエチレン硬化ヒマシ油（１２０ＥＯ）　　　　３．０
（５）ベタイン型両性高分子（分子量１５万）　　　　　　　　３．０
　　　　　　　　　　　　　　　　　　　　　　　　　　　（乾燥固形分）
　　（一般式（Ｉ）中、Ｒ１はステアリル基（α）、メチル基（β）を
　　　α：β＝７：３の割合で含む；ａ：ｂ：ｃ＝２５：３０：４５）
（６）エタノール　　　　　　　　　　　　　　　　　　　　１０．０
（７）イオン交換水　　　　　　　　　　　　　　　　　　　バランス
（８）ポリビニルアルコール　　　　　　　　　　　　　　　　１．０
（９）香料　　　　　　　　　　　　　　　　　　　　　　　　適　量
（製法）（１）に（２）を溶解し、これを（３）、（４）の混合物に加えて乳化し、次いで（５）〜（９）と混合してヘアクリームを得た。
・・・
【００７１】
　実施例６（ヘアブロー）
　　　（配合成分）　　　　　　　　　　　　　　　　　　　（重量％）
（１）デカメチルシクロペンタシロキサン　　　　　　　　　１５．０
（２）
高分子量シリコーン
　　（
一般式（ＩＩ）
（３）
アミノ変性高分子量シリコーン
　　（
一般式（ＩＩＩ）
　　　−（ＣＨ２）３Ｎ（ＣＨ３）２；ｍ＝３，０００、ｎ＝６）
（４）１，３−ブチレングリコール　　　　　　　　　　　　　２．０
（５）ポリオキシエチレン硬化ヒマシ油（６０ＥＯ）　　　　　２．０
（６）ベタイン型両性高分子（分子量１２万）　　　　　　　　１．０
　　　　　　　　　　　　　　　　　　　　　　　　　　　（乾燥固形分）
　　（一般式（Ｉ）中、Ｒ１はベヘニル基（α）、ステアリル基（β）、
　　　ブチル基（γ）をα：β：γ＝４：４：２の割合で含む；
　　　ａ：ｂ：ｃ＝４５：３０：２５）
（７）エタノール　　　　　　　　　　　　　　　　　　　　１５．０
（８）イオン交換水　　　　　　　　　　　　　　　　　　　バランス
（９）香料　　　　　　　　　　　　　　　　　　　　　　　　適　量
（製法）（１）に（２）、（３）を溶解し、これを（４）、（５）の混合物に加えて乳化し、次いで（６）〜（９）と混合してヘアブローを得た。」
　
（１ｈ）「【００７７】これら実施例１〜６、比較例１〜４で得られた毛髪化粧料を試料として用い、
（１）塗布後、乾燥までのべたつきのなさ、（２）塗布後、乾燥までのなめらかさ、（３）セット保持力、（４）仕上がった後のゴワゴワ感のなさ、（５）枝毛の修復・毛髪接着効果
【００７８】［塗布後、乾燥までのべたつきの少なさ］被験者（２０名）により、毛髪ストランド（４ｇ）に試料３ｇを塗布し、櫛で形を整え、乾燥するまでのべたつきの少なさについて官能評価した。
（評価）
Ａ：　１８名以上が、べたつきがないと回答
Ｂ：　１４〜１７名が、べたつきがないと回答
Ｃ：　８〜１３名が、べたつきがないと回答
Ｄ：　７名以下が、べたつきがないと回答
【００７９】［塗布後、乾燥までのなめらかさ］被験者（２０名）により、毛髪ストランド（４ｇ）に試料３ｇを塗布し、櫛で形を整え、乾燥するまでのなめらかさについて官能評価した。
（評価）
Ａ：　１８名以上が、なめらかであると回答
Ｂ：　１４〜１７名が、なめらかであると回答
Ｃ：　８〜１３名が、なめらかであると回答
Ｄ：　７名以下が、なめらかであると回答
【００８０】［セット保持力（整髪保持効果）］長さ１５ｃｍ、重さ１ｇの毛束にゲル状整髪料の試料を０．５ｇを均等に塗布し、直径２ｃｍのロッドに巻き、４５℃の高温室内に６時間放置して、完全に乾燥させた。乾燥後、ロッドをはずして、毛束の見かけの長さ（Ｌ１）を測定した。次に温度２５℃、湿度９０％の恒温恒室内に毛束を吊し、３０分後に取り出し、再び毛束の見かけの長さ（Ｌ２）を測定した。セット保持力を下記の数１に示す式により求めた。
【００８１】
【数１】整髪保持力（％）＝（１５−Ｌ２）／（１５−Ｌ１）×１００
【００８２】（評価）
Ａ：　非常に良好（整髪保持力８０％以上）
Ｂ：　良好（整髪保持力５０％以上、８０％未満）
Ｃ：　やや悪い（整髪保持力３０％以上、５０％未満）
Ｄ：　悪い（整髪保持力３０％未満）
【００８３】［仕上がった髪のゴワゴワ感のなさ］被験者（２０名）により、毛髪ストランド（４ｇ）に試料３ｇを塗布し、櫛で形を整え、乾燥した後の仕上がった髪のゴワゴワ感のなさについて官能評価した。
（評価）
Ａ：　１８名以上が、髪のゴワゴワ感がないと回答
Ｂ：　１４〜１７名が、髪のゴワゴワ感がないと回答
Ｃ：　８〜１３名が、髪のゴワゴワ感がないと回答
Ｄ：　７名以下が、髪のゴワゴワ感がないと回答
【００８４】［枝毛の修復・毛髪への接着効果］被験者（２０名）により、毛髪ストランド（４ｇ）に試料３ｇを塗布し、ブラシを１０回通した後の試料の毛髪からの剥離の程度について官能評価（総合評価）した。
（評価）
Ａ：　非常に良好（試料が髪に接着していて剥がれない）
Ｂ：　良好（試料が髪に接着しているが、わずかに剥がれる）
Ｃ：　やや悪い（試料が髪に接着しているが、ほとんど剥がれる）
Ｄ：　悪い（試料が髪に接着していない）
【００８５】
【表１】
【００８６】表１の結果から明らかなように、本発明の毛髪化粧料は、セット保持力に優れ、しかもべたつかず、なめらかで良好な感触を有し、さらには枝毛の修復・毛髪接着効果に優れるものであった。」
　
（１ｉ）「【００８７】
【発明の効果】以上詳述したように、本発明によれば、
塗布後、乾燥仕上げまでの過程でべたつかず、くせづけしやすく、また仕上がった髪がなめらかでゴワゴワしないなど良好な感触を有し、しかもセット保持力に優れ、さらには枝毛の修復・毛髪接着効果に優れる
　
２　原査定の拒絶の理由に引用され本出願日前である平成９年６月１０日に頒布された「特開平９−１５１１１９号公報」（原査定の引用文献１。以下、「引用例２」という。）には、次の事項が記載されている。
　
（２ａ）「【請求項１】次式：
【化１】
［式中、Ｒ１は脂肪族不飽和を含まない１価の炭化水素基を表し、
Ｘは次式：
−Ｒ３−Ｚ
（式中、Ｒ３は直接結合または炭素原子数１〜２０の二価炭化水素基を表し、Ｚはアミノ基含有基、アンモニウム基含有基またはエポキシ基含有基を表す）で表される反応性官能基を表し、
Ｒ２はＲ１またはＸのいずれかを表し、
ｎは２〜４の整数であり、ａは少なくとも２の整数であり、ｂは少なくとも１の整数であり、ｃは少なくとも４の整数であり、ｄは少なくとも２の整数であり、
Ｙは炭素−珪素によって隣接珪素原子にそして酸素原子によってポリオキシアルキレンブロックに結合している２価の有機基を表し、各シロキサンブロックの平均分子量は約２５０〜約１０，０００であり、各ポリオキシアルキレンブロックの平均分子量は約２００〜約１０，０００であり、シロキサンブロックは共重合体の約２５〜約９５重量％を構成し、そしてブロック共重合体は少なくとも約１，０００の平均分子量を有する］で表される反応性シリコーン系ブロック共重合体を含有することを特徴とする毛髪化粧料。」
　
（２ｂ）「【０００１】
【発明の属する技術分野】本発明は、特定のシリコーン系ブロック共重合体を含有し、シャンプー剤、リンス剤、
セットローション剤
ヘアスプレー剤
ムース剤
等として使用できる毛髪化粧料に関する
　
（２ｃ）「【０００３】特に、最近のシリコーン系高分子技術の進歩により、各種ポリシロキサン系重合体が合成され、その特異な性質が着目され、毛髪化粧料の主成分として配合されるようになってきた。中でも本出願人は特開平４−２１１６０５号において、
毛髪に帯電防止効果を与え、櫛通り性を良くし、仕上がりの風合いが良くつややかで、ボリューム感、バルキー感、しっとり感を与え、乳化効果、泡立ち効果をよくする毛髪化粧料として特定の線状ポリシロキサン−ポリオキシアルキレンブロック共重合体
【０００４】しかし、上記毛髪化粧料により毛髪に形成された被膜は一時的なもので、
シャンプーやブロー、ブラッシング等日常の毛髪の手入れによりその効果は容易に衰えてしまうという欠点があった
【０００５】
【発明が解決しようとする課題】本発明は、
毛髪に帯電防止効果を与え、櫛通り性を良くし、仕上がりの風合いが従来のシリコーン類配合毛髪化粧料より良く、つややかで、ボリューム感、バルキー感、しっとり感を与え、セット性が良く、乳化効果、泡立ち効果をよくし、シャンプーやブロー、ブラッシング等日常の毛髪の手入れに対するそれらの効果の持続性が良い毛髪化粧料を提供
　
（２ｄ）「【０００８】
【発明の実施の形態】上記式中、
Ｒ
１
は互いに独立して脂肪族不飽和を含まない１価の炭化水素基、例えば、メチル基、エチル基、プロピル基、ブチル基、オクチル基、ドデシル基、フェニル基、フェネチル基等であるが、メチル基、エチル基およびフェニル基が好ましく、特にメチル基が好ましい
　・・・
【００１０】上記式において、Ｙで表される２価の有機基の例は、−Ｒ４−，−Ｒ４−ＣＯ−，−Ｒ４−ＮＨＣＯ−，−Ｒ４−ＮＨＣＯＮＨＲ５−ＮＨＣＯ−または−Ｒ４−ＯＯＣＮＨ−Ｒ５−ＮＨＣＯ−（式中、Ｒ４は２価のアルキレン基、例えばエチレン基、プロピレン基、ブチレン基等であり、Ｒ５は２価のアルキレン基、例えばＲ４として例示した基または２価のアリレン基、例えば、−Ｃ６Ｈ４−，−Ｃ６Ｈ４−Ｃ６Ｈ４−，−Ｃ６Ｈ４−ＣＨ２−Ｃ６Ｈ４−，−Ｃ６Ｈ４−ＣＨ（ＣＨ３）−Ｃ６Ｈ４−などである。）である。
基Ｙの好適な例は以下のものである。−ＣＨ
２
ＣＨ
２
−，−ＣＨ
２
ＣＨ
２
ＣＨ
２
−，−ＣＨ
２
ＣＨ（ＣＨ
３
）ＣＨ
２
−，−ＣＨ
２
ＣＨ
２
ＣＨ
２
ＣＨ
２
−
　
（２ｅ）「【００１８】また、
毛髪化粧料中の上記反応性シリコーン系ブロック共重合体の配合量は限定されないが、好ましくは０．０１重量％〜８０重量％であり、特に好ましくは０．１〜４０重量％である
　
（２ｆ）「【００２１】
実施例１〜９、比較例１〜６：毛髪化粧料
下記の表１および２に示した組成に従って、本発明品１〜９および比較品１〜６を常法により調製し、外観を観察した。それらの組成物で毛髪を下記方法で評価をし、その結果を表１および表２に示した。
（評価方法）日本人女性枝毛毛髪３０ｃｍ／５ｇを束にし、組成物を毛髪に５ｇ直接塗布した後、自然乾燥させ、以下の基準で評価した。その後、下記洗髪方法により５回洗髪してから同様の評価を行った。また、洗髪工程の替わりにブラシを２０回通した後、同様の評価を行った。これらの評価結果を表１及び２に示した。
（評価基準）
接着効果：
◎：接着していてはがれない。
○：接着しているが、わずかにはがれる。
△：接着しているが、ほとんどはがれる。
×：接着していない。
感触：
手で触った感触を以下の基準で評価した。
◎：総合的に非常に良い感触である。
○：総合的に良い感触である。
△：総合的にあまり良くない感触である。
×：総合的に非常に悪い感触である。
帯電防止性：
○：ほこりは付着していなく、毛髪のもつれもない。
△：少量のほこりの付着が認められ、毛髪もややもつれている。
×：ほこりが付着し、毛髪ももつれている。
（洗髪方法）２％ラウリル硫酸ナトリウム水溶液０．３ｇを塗布して洗浄し、温油で十分すすいだ後、自然乾燥する。
【００２２】
【表１】
【表２】
【００２３】本発明品１〜９及び比較品１〜６を調製するのに使用した化合物１〜８は次式を有するものである。
【化２２】
　・・・
【化２７】
　・・・
【化３０】
【００２４】
表１および表２に示されるように、本発明品１〜９は外観、枝毛の接着効果、感触、帯電防止性が全て優れ、洗髪やブラッシングによっても効果の低下は少なく毛髪化粧料として好適なものであった
　
（２ｇ）「【００４３】実施例２８：エアゾールヘアラッカー
下記の表８に示す処方でエアゾールヘアラッカーを調製したところ、処理後の毛髪のセット性、仕上がり、つや、感触、櫛通り性、枝毛の予防および修復効果等が優れ、ボリューム感、バルキー感、しっとり感があり、更に静電気の発生および蓄積等の問題が起きず、洗髪やブラッシングによっても効果が持続する良好なエアゾールヘアラッカーが得られた。
【表８】
」
　
（２ｈ）「【００４９】
【発明の効果】本発明の毛髪化粧料は、反応性基を導入した特定のポリジオルガノシロキサン−ポリオキシアルキレン交互ブロック共重合体を含有するので、
泡立ちや乳化性が良く、毛髪を処理した場合の毛髪の仕上がり、風合い、つや、セット性、感触、櫛通り性、枝毛の予防および修復効果等が優れ、ボリューム感、バルキー感、しっとり感があり、静電気の発生および蓄積等の問題が起きず、更にシャンプーやブラッシング等日常の手入れに対する上記の効果の持続性が良い
　
第４　引用例に記載された発明
　引用例１の請求項１には、（Ａ）の一般式（Ｉ）で表される構成単位を有するベタイン型両性高分子の１種又は２種以上と、（Ｂ）の一般式（ＩＩ）で表される高分子量シリコーン、及び一般式（ＩＩＩ）で表されるアミノ変性又はアンモニウム変性高分子量シリコーンの中から選ばれる１種又は２種以上とを含有する毛髪化粧料の発明が記載されている（上記（１ａ）【請求項１】参照）。
　そして、この毛髪化粧料の実施の形態である実施例３には、（Ａ）の一般式（Ｉ）で表される構成単位を有するベタイン型両性高分子と、（Ｂ）の一般式（ＩＩＩ）で表されるアミノ変性高分子量シリコーンとを含有するヘアクリームが記載されていることからみて（上記（１ｇ）参照）、引用例１には次の発明（以下、「引用例１発明」という。）が記載されている。
　
「デカメチルシクロヘキサシロキサン　２５．０重量％、アミノ変性高分子量シリコーン（一般式（ＩＩＩ）中、Ｒ４はメチル基；Ｒ５は水酸基；Ｒ６は−（ＣＨ２）３Ｎ（ＣＨ３）２；ｍ＝３，０００、ｎ＝６）　６．０重量％、グリセリン　３．０重量％、ポリオキシエチレン硬化ヒマシ油（１２０ＥＯ）　３．０重量％、ベタイン型両性高分子（分子量１５万）（一般式（Ｉ）中、Ｒ１はステアリル基（α）、メチル基（β）をα：β＝７：３の割合で含む；ａ：ｂ：ｃ＝２５：３０：４５）　３．０重量％（乾燥固形分）、エタノール　１０．０重量％、イオン交換水　バランス、ポリビニルアルコール　１．０重量％、及び香料　適量からなるヘアクリーム。
一般式（Ｉ）
一般式（ＩＩＩ）
」
　
第５　対比
　そこで、本願発明と引用例１発明を対比する。
　
１　引用例１発明の「ヘアクリーム」は、引用例１に記載の毛髪化粧料の実施の形態の一つであり、引用例１に記載の毛髪化粧料は、毛髪をセットするためのものであるから（上記（１ｂ）【０００１】参照）、本願発明の「毛髪セット剤組成物」に相当する。
　
２　引用例１発明のベタイン型両性高分子は、毛髪化粧料に配合される皮膜形成性高分子であることは、当業者が普通に理解することである。そのうえ、引用例１には、（Ａ）のベタイン型両性高分子に関する説明に、置換基の選択に関するところではあるが、「べたつかず、なめらかな被膜形成、セット保持力など」の効果を奏するとの観点が示されており（上記（１ｃ）【００２７】参照）、このことからも、引用例１に記載のベタイン型両性高分子は、毛髪化粧料に配合される皮膜形成性高分子であるといえる。
　一方、本願発明の皮膜形成性高分子は、両性ポリマーであってよく（本願明細書段落【００３３】、【００３７】参照）、本願明細書の実施例では、引用例１に記載のベタイン型両性高分子と同様の、Ｎ−メタクリロイルオキシエチル−Ｎ，Ｎ−ジメチルアンモニウム−α−Ｎ−メチルカルボキシベタイン・メタクリル酸アルキルエステル共重合体（ユカフォーマーＳＭ）を用いている（実施例２（参考例）の本発明品２、及び実施例６参照）。
　
　よって、引用例１発明の「ベタイン型両性高分子（分子量１５万）（一般式（Ｉ）中、Ｒ１はステアリル基（α）、メチル基（β）をα：β＝７：３の割合で含む；ａ：ｂ：ｃ＝２５：３０：４５）　３．０重量％（乾燥固形分）」は、本願発明の「皮膜形成性高分子（Ｂ）０．０１〜２０重量％」と「皮膜形成性高分子（Ｂ）３．０重量％」である点で一致する。
　
３　引用例１発明のアミノ変性高分子量シリコーンは、一般式（ＩＩＩ）中のＲ４がメチル基、Ｒ５が水酸基、Ｒ６が−（ＣＨ２）３Ｎ（ＣＨ３）２、ｍ＝３，０００、ｎ＝６のものである。
　ここで、本願明細書には、本願発明の一般式（３）で表される反応性シリコーン化合物（Ｄ）の置換基Ｘ２について、その具体例として−（ＣＨ２）３Ｎ（ＣＨ３）２をあげている（段落【００４４】参照）。
　したがって、引用例１発明のアミノ変性高分子量シリコーンは、本願発明の一般式（３）で表されるシリコーン化合物（Ｄ）において、Ｒ８が水酸基、Ｒ９及びＲ１０が無置換の１価炭化水素基（メチル基）、Ｘ２が、−Ｒ１１−Ｚ２におけるＲ１１が炭素原子数３の２価炭化水素基（−（ＣＨ２）３−部分）、Ｚ２が反応基含有基（−Ｎ（ＣＨ３）２部分）であって、ｑが３，０００、ｒが６であるものに相当する。
　また、引用例１発明のアミノ変性高分子量シリコーンは、一般式（ＩＩＩ）から分子量を計算すると、約２２３，５１８となるから、この平均分子量は２５０〜１，０００，０００の範囲に入るといえる。
　
　よって、引用例１発明の「アミノ変性高分子量シリコーン（一般式（ＩＩＩ）中、Ｒ４はメチル基；Ｒ５は水酸基；Ｒ６は−（ＣＨ２）３Ｎ（ＣＨ３）２；ｍ＝３，０００、ｎ＝６）　６．０重量％」は、本願発明の「下記の一般式（２）で表されるポリオルガノシロキサン−ポリオキシアルキレン共重合体（Ｃ）または下記の一般式（３）で表されるシリコーン化合物（Ｄ）０．０１〜１０．０重量％（式略）」と、「下記の一般式（３）で表されるシリコーン化合物（Ｄ）６．０重量％
一般式（３）：
【化３】
［式中、Ｒ９は、互いに独立して、１価の炭化水素基、Ｘ２は
一般式：
　−Ｒ１１−Ｚ２（Ｒ１１は炭素原子数３の２価炭化水素基、Ｚ２は反応基含有基を表す）で表される反応性官能基を表し、Ｒ８は、水酸基、Ｒ１０はＲ９を表し、ｑは少なくとも１の整数であり、ｒは０または少なくとも１の整数であり、平均分子量は２５０〜１，０００，０００である。］」である点で一致する。
　
４　引用例１発明は、さらに「デカメチルシクロヘキサシロキサン」、「グリセリン」、「ポリオキシエチレン硬化ヒマシ油（１２０ＥＯ）」、「エタノール」、「イオン交換水」、「ポリビニルアルコール」、及び「香料」を含むが、この点は本願発明に包含され相違点ではない。
　すなわち、本願発明は、（Ａ）、（Ｂ）、さらに（Ｃ）又は（Ｄ）を含む毛髪セット剤組成物であって、他の成分を含んでよいものである。
　そして、本願明細書には、液状の環状シリコーン（段落【００４５】）、水溶性多価アルコール（段落【００５３】）、乳化剤（段落【００５１】〜【００５２】）、その他の添加剤としての樹脂類、希釈剤や香料（段落【００５９】）を含んでよいことが説明されており、本願明細書の実施例５（参考例）では、これらの物質を含んだヘアクリームが記載されている。
　
５　以上のことから、両発明は、本願発明の表現に倣えば、次の一致点及び相違点を有する。
　
一致点：
　「組成物全量基準で、皮膜形成性高分子（Ｂ）３．０重量％、及び下記の一般式（３）で表されるシリコーン化合物（Ｄ）６．０重量％を含有する毛髪セット剤組成物。
一般式（３）：
【化３】
［式中、Ｒ９は、無置換の１価の炭化水素基、Ｘ２は
一般式：
　−Ｒ１１−Ｚ２（Ｒ１１は炭素原子数３の２価炭化水素基、Ｚ２は反応基含有基を表す）で表される反応性官能基を表し、Ｒ８は、水酸基であり、Ｒ１０はＲ９を表し、ｑは少なくとも１の整数であり、ｒは０または少なくとも１の整数であり、平均分子量は２５０〜１，０００，０００である。］」
　
相違点：
　毛髪セット剤組成物が、本願発明では、「下記の一般式（１）で表される反応性シリコーン系ブロック共重合体（Ａ）０．０１〜３０重量％、（式略）」を含むのに対し、引用例１発明はこれを含まない点
　
第６　判断
　そこで、上記相違点ついて検討する。
　
１　引用例１には、毛髪化粧料の従来技術に関し、毛髪は洗髪等の美容処理で損傷することなどから、光沢となめらかさを付与しながら毛髪の損傷を防止する目的で高分子量のシリコーンを用いる技術が知られているが、毛髪損傷防止効果、使用後の毛髪への光沢及びなめらかさの付与にはある程度の効果を有するが、ブラッシングやドライヤー処理によるその効果の持続性や整髪効果は十分に満足できるものではなかったことが記載されている（上記（１ｂ）【０００２】、【０００４】、【０００５】参照）。
　
２　ところで、引用例１発明では、アミノ変性高分子量シリコーンとともに、ベタイン型両性高分子を配合している。これに関し、引用例１には、従来から毛髪化粧料には、毛髪セットの目的でポリビニルポロリドン系ポリマーなど高分子化合物を用いていたが、これらはセット力に優れるものの、光沢、なめらかさは十分に満足できるものではなかったことから、既に両性高分子（高分子化合物）とアミノ変性高分子量シリコーンを併用した毛髪化粧料を開発し、光沢、なめらかさに関する不具合を解決したこと、さらに引用例１においては、両性高分子を引用例１記載の特定のベタイン型両性高分子とすることにより、使用中のべたつきを低減し、枝毛の修復、毛髪への接着効果が得られるものとしたことが記載されている（上記（１ｂ）【０００６】〜【０００８】参照）。
　
　そして、実施例では、（１）塗布後、乾燥までのべたつきのなさ、（２）塗布後、乾燥までのなめらかさ、（３）セット保持力、（４）仕上がった後のゴワゴワ感のなさ、（５）枝毛の修復・毛髪接着効果について評価したことが示されている（上記（１ｈ）【００７７】参照）。
　
３　そうすると、引用例１発明では、毛髪化粧料にベタイン型両性高分子とアミノ変性高分子量シリコーンとを併用して、使用の際、べたつかず、毛髪に優れた光沢を与え、なめらかな感触を付与し、頭髪の脂じみがなく、かつ適度なセット力を有し、さらには枝毛の修復効果に優れた毛髪化粧料としたものといえる（上記（１ｂ）【０００８】参照）。
　一方で、高分子量シリコーン類を用いた場合での従来技術の課題とされていた、ブラッシングやドライヤー処理によるその効果の持続性や整髪効果については、解決されたとまでは示されていないということもできる。
　
４　これに対し、引用例２には、毛髪化粧料に配合し得る高分子量シリコーン類であって、アミノ基含有基又はアンモニウム基含有基とポリオキシアルキレン基とを有する反応性シリコーン系ブロック共重合体が記載されている（上記（２ａ）参照）。
　そして、引用例２の毛髪化粧料は、引用例１と同様に毛髪セット用の化粧料も含むものである（上記（２ｂ）参照）。
　さらに、引用例２には、前記反応性シリコーン系ブロック共重合体について、従来の特定の線状ポリシロキサン−ポリオキシアルキレンブロック共重合体は、シャンプーやブロー、ブラッシング等日常の毛髪の手入れによりその効果は容易に衰えてしまうという欠点があったことから、毛髪に帯電防止効果を与え、櫛通り性を良くし、仕上がりの風合いが従来のシリコーン類配合毛髪化粧料より良く、つややかで、ボリューム感、バルキー感、しっとり感を与え、セット性が良く、乳化効果、泡立ち効果をよくし、シャンプーやブロー、ブラッシング等日常の毛髪の手入れに対するそれらの効果の持続性が良い毛髪化粧料を提供することを目的としてなされたものであることが記載されている（上記（２ｃ）参照）。
　
　また、引用例２の実施例１〜９には、反応性シリコーン系ブロック共重合体を配合した毛髪化粧料の評価について、枝毛の接着効果、感触、帯電防止性が全て優れ、洗髪やブラッシングによっても効果の低下は少なく毛髪化粧料として好適なものであったことが示されている（上記（２ｆ）参照）。
　そして、実施例１〜９の毛髪化粧料は、上記（２ｆ）の【表１】に示されるとおり、引用例２の反応性シリコーン系ブロック共重合体をオクタメチルシクロペンタシロキサン又はエタノールと配合したものであり、特に、その「本発明品８」は、反応性シリコーン系ブロック共重合体と、引用例１記載のアミノ変性高分子量シリコーンと類似する化合物５とを併用したものである（上記（２ｆ）【００２３】参照）。
　他にも、引用例２の実施例２８には、引用例２の反応性シリコーン系ブロック共重合（化合物１）と、酢酸ビニル（６５重量％）／クロトン酸（１０重量％）／ｔｅｒｔ−ブチル−安息香酸ビニル（２５重量％）共重合体とを併用したエアゾールヘアラッカーが記載されている（上記（２ｇ）参照）。この共重合体は毛髪化粧料における皮膜形成性高分子として周知のものである（特開平４−２６１１１４号公報の段落【００１３】、実施例１、特開平９−１４３０３７号公報の段落【００１２】、【００１５】参照）。
　このように、引用例２には、反応性シリコーン系ブロック共重合体を、引用例１発明と同様に、環状シリコーンやエタノール、あるいは皮膜形成性高分子と併用して用いることが記載されており、かつ、引用例１のアミノ変性高分子量シリコーンと類似する化合物と併用して、枝毛の接着効果、感触、帯電防止性が全て優れ、洗髪やブラッシングによっても効果の低下は少なく毛髪化粧料として好適なものであったことが示されている（上記（２ｆ）参照）。
　
５　そして、引用例２に記載の反応性シリコーン系ブロック共重合体は、本願発明の一般式（１）で表される反応性シリコーン系ブロック共重合体（Ａ）に相当する。
　すなわち、引用例２の請求項１の式の説明（上記（２ａ）参照）と、本願発明の一般式（１）の式の説明とを対比すると、以下のとおりである。
　引用例２のＲ１は、脂肪族不飽和を含まない１価の炭化水素基であり、例えば、メチル基、エチル基、プロピル基、ブチル基、オクチル基、ドデシル基、フェニル基、フェネチル基等であるから（上記（２ｄ）【０００８】参照）、本願発明のＲ１に相当する。
　引用例２のＸは、−Ｒ３−Ｚであり、Ｒ３は直接結合または炭素原子数１〜２０の二価炭化水素基、Ｚはアミノ基含有基、アンモニウム基含有基）で表される反応性官能基であるから、本願発明のＸ２であって、−Ｒ１１−Ｚ２であるものに相当する。
　引用例２のＲ２は、Ｒ１又はＸのいずれかであるから、本願発明のＲ２に相当する。
　引用例２のｎは２〜４の整数であり、ａは少なくとも２の整数であり、ｂは少なくとも１の整数であり、ｃは少なくとも４の整数であり、ｄは少なくとも２の整数であるから、ｂ×ｄは少なくとも２の整数であり、よって、それぞれ本願発明のｎ、ａ、ｃ、ｄに相当し、ｂ×ｄの条件も満たす。
　引用例２のＹは、炭素−珪素によって隣接珪素原子にそして酸素原子によってポリオキシアルキレンブロックに結合している２価の有機基であって、基Ｙの好適な例として、−ＣＨ２ＣＨ２−，−ＣＨ２ＣＨ２ＣＨ２−，−ＣＨ２ＣＨ（ＣＨ３）ＣＨ２−，−ＣＨ２ＣＨ２ＣＨ２ＣＨ２−が示されているから（上記（２ｄ）【００１０】参照）、本願発明のＹに相当する。
　引用例２の各シロキサンブロックの平均分子量は約２５０〜約１０，０００であり、各ポリオキシアルキレンブロックの平均分子量は約２００〜約１０，０００であり、シロキサンブロックは共重合体の約２５〜約９５重量％を構成するとの特定は、本願発明の同様な条件に含まれる範囲である。
　そして、引用例２のブロック共重合体は少なくとも約１，０００の平均分子量を有するものであり、先に示した本発明品８（上記（２ｆ）【表１】参照）や実施例２８（上記（２ｇ）【表８】参照）に具体的に示されている化合物１（上記（２ｆ）【００２３】参照）から分子量を計算すると、約６８，３２０となるから、本願発明の２０，０００〜１，５００，０００の平均分子量の範囲に入る。
　
６　また、引用例１には、一般式（ＩＩＩ）で表されるアミノ変性又はアンモニウム変性高分子量シリコーンは、一般式（ＩＩ）で表される高分子量シリコーンと併用して用いてよいことが記載されている（上記（１ａ）、（１ｅ）参照）。
　そして、実施例６には、両者を併用したヘアブローが示され（上記（１ｇ）参照）、一般式（ＩＩＩ）で表されるアミノ変性高分子量シリコーンのみを配合した実施例３（引用例１発明）に比べて、「枝毛の損傷・毛髪接着効果」に優れることが示されている。
　すなわち、引用例１には、高分子量のシリコーン化合物を複数併用してよいことが示されており、引用例１発明のアミノ変性高分子量シリコーンのみより、他のシリコーン化合物を併用することで枝毛の損傷・毛髪接着効果の改善を図ることも記載されている。
　
　そうしてみると、引用例１発明において、従来からの課題として認識されていたブラッシングやドライヤー処理によるその効果の持続性や整髪効果を改善し、枝毛の接着効果の向上をも期待して、これらの効果に優れ、同様な毛髪化粧料に配合される引用例２に記載の反応性シリコーン系ブロック共重合体をさらに配合してみることは、当業者が容易に想到し得たことである。
　そして、その配合量については、２種のシリコーン化合物を配合する場合、例えば、引用例１の実施例６で３．０重量％、６．０重量％（上記（１ｇ）参照）、引用例２の本発明品８では、４．０重量％、１．０重量％で用いている（上記（２ｆ）参照）。また、引用例１には、（Ｂ）成分のシリコーン化合物の配合量は０．１〜５０．０重量％、好ましくは１．０〜３０．０重量％と記載され（上記（１ａ）【請求項３】、（１ｆ）参照）、引用例２には、反応性シリコーン系ブロック共重合体の配合量は０．１〜４０重量％であることが好ましいと記載されている（上記（２ｅ）参照）。
　よって、配合量に関しても、引用例１、２に例示された範囲及び具体的に配合されている量に基づき、本願発明に特定された０．０１〜３０重量％程度の範囲とすることは、当業者が適宜決定し得ることである。
　
７　なおここで、念のため、引用例１発明のベタイン型両性高分子及びアミノ変性又はアンモニウム変性高分子量シリコーンの配合量などについても検討するに、引用例１には、ベタイン型両性高分子の配合量は、乾燥固形分として０．０５〜１０．０重量％であることが示されており（上記（１ａ）【請求項２】、（１ｃ）【００３０】参照）、アミノ変性又はアンモニウム変性高分子量シリコーンの配合量は、上記のとおり、（Ｂ）成分全体として０．１〜５０．０重量％が示されていることから、本願発明で特定する、皮膜形成性高分子（Ｂ）の０．０１〜２０．０重量％や一般式（３）で表されるシリコーン化合物（Ｄ）の０．０１〜１０．０重量％程度の範囲と特定することも、当業者が適宜なし得たことである。
　また、アミノ変性又はアンモニウム変性高分子量シリコーン化合物についても、引用例１に記載の他の実施例や請求項１に例示された化学式に基づき、引用例１発明のもの以外とすることも容易である。
　
８　次に、本願発明の効果について検討する。
　審判請求人は、平成２３年８月２９日付け審判請求書において、本願発明は、反応性シリコーン系ブロック共重合体（Ａ）、皮膜形成性高分子（Ｂ）、及び一般式（３）で表されるシリコーン化合物（Ｄ）を特定の割合で併用することにより、相乗作用効果により、しっとりした感触や、優れた光沢、滑らかな感触を毛髪に付与することができる旨主張し、本願明細書の段落【００４２】に、シリコーン化合物（Ｄ）について、「主剤の反応性シリコーン系ブロック共重合体（Ａ）に配合し、相乗作用により、主剤の効果をさらに良くするものである。特に、優れた光沢、滑らかな感触を毛髪に付与する。」と記載されていると主張している。
　また、本願明細書の実施例、比較例の対比から、１０回ブラッシングした場合の自然な感触、１０回ブラッシングした場合のフレーキングや、枝毛の修復・接着効果について顕著な差を示しており、当業者が予測し得る効果の範疇を超えた格段顕著な効果を奏するものである旨主張している。
　
　そこで、本願明細書の記載を検討するに、上記３成分を併用した実施例は、段落【００６７】【表１】の本発明の試料５、６、及び段落【００９５】【表３】の実施例４と認められる。（なお、後者の“実施例４”は、明細書全体の記載からみて、段落【００７８】の実施例６を示しているもの解され、したがって、前記【表３】中の実施例１〜５は、それぞれ実施例３〜７の誤記と解される。）
　これをみると、（Ａ）と（Ｂ）の２成分のみを併用したものと、（Ａ）と（Ｂ）と（Ｃ）又は（Ｄ）の３成分を併用したものとは、いずれも評価が同じであるか、２成分のみを併用したものの方が良い評価であることが示されている（【表１】の本発明の試料１や【表３】の実施例５参照）。
　そもそも、本願明細書の前記【表１】に示された評価は、フレーキングの評価とセット保持力の評価に関しては、その評価基準が示されているものの、他のものは評価基準が示されていない（本願明細書の段落【００６２】〜【００６６】参照）。
　そうしてみると、これらの結果からは、審判請求人の主張する３成分による相乗作用効果を把握することはできない。
　
　そして、本願発明のシリコーン化合物（Ｄ）に関する「優れた光沢、滑らかな感触を毛髪に付与する」という効果については、引用例１に、「これら変性された高分子量シリコーンは軟質ゴム状であり、多量に用いたり長い間連用しても毛髪、頭皮のべたつきがなく、毛髪に優れた光沢や滑らかな感触を付与し、毛髪の保護効果を高めることができる。」（上記（１ｄ）【００４３】）とあるように、アミノ変性高分子量シリコーンがもともと有する効果である。
　また、引用例２には、本願発明の（Ａ）と、（Ｄ）に相当する成分であって引用例１に記載のアミノ変性高分子量シリコーンと類似の化合物とを併用した本発明品８と、後者のみを使用した比較品２が示されており（上記（２ｆ）【表１】、【表２】参照）、これによると、両者を併用したことにより枝毛の接着効果、感触、帯電防止性が向上したことが示されている。
　
　そうしてみると、本願発明の効果は、本願発明の（Ａ）に相当する化合物の「泡立ちや乳化性が良く、毛髪を処理した場合の毛髪の仕上がり、風合い、つや、セット性、感触、櫛通り性、枝毛の予防および修復効果等が優れ、ボリューム感、バルキー感、しっとり感があり、静電気の発生および蓄積等の問題が起きず、更にシャンプーやブラッシング等日常の手入れに対する上記の効果の持続性が良い」（上記（２ｈ）参照）という引用例２に記載された効果と、本願発明の（Ｄ）に相当する化合物の「多量に用いたり長い間連用しても毛髪、頭皮のべたつきがなく、毛髪に優れた光沢や滑らかな感触を付与し、毛髪の保護効果を高める」（上記（１ｄ）【００４３】）という引用例１に記載された効果、及びさらにベタイン型両性高分子と併用することによる「塗布後、乾燥仕上げまでの過程でべたつかず、くせづけしやすく、また仕上がった髪がなめらかでゴワゴワしないなど良好な感触を有し、しかもセット保持力に優れ、さらには枝毛の修復・毛髪接着効果に優れる」（上記（１ｉ））という引用例１に記載された効果から予測し得るものであって、格別なものとはいえない。
　
９　まとめ
　以上のとおりであり、引用例１発明において、上記相違点に係る本願発明の発明特定事項を採用することに格別の創意工夫が必要であったとは認められず、採用したことによって格別に予想外の作用効果を奏しているとも認められない。
　
第７　むすび
　したがって、本願発明は、引用例１〜２の記載に基づいて当業者が容易に発明をすることができたものであるから、特許法第２９条第２項の規定により特許を受けることができないものである。
　したがって、その他の請求項に係る発明についての判断を示すまでもなく、本願は拒絶すべきものである。
　よって、結論のとおり審決する。